(57)【要約】      （修正有）【課題】単独で使用することができると共にパンチ補助具と組み合わせて使用することができるパンチ、パンチ補助具及びパンチとパンチ補助具を組み合わせた補助具付きパンチを提供すること。【解決手段】被穿孔シートを挿入するスリット（１１）及び該スリット（１１）に交差する案内孔（１２）を有するパンチ基台（１０）と、案内孔（１２）内に案内される穿孔刃（１３）の組立体を、穿孔刃（１３）の操作部（１５）がハウジング（２０）の開口部（２５）に配設された状態で、操作部（１５）の操作面（１６）がハウジング（２０）の上面（２４）とほぼ同一面を形成するようにハウジング（２０）内に収容してパンチ(１)を構成した。複数の模様などを一度に切り抜くことができるパンチとして単独で使用することができると共に、パンチをパンチ補助具と組み合わせて補助具付きパンチとして使用する場合でも、パンチ及びパンチ補助具を小型化することができる。【選択図】図５
2006255877.tif 000002
【特許請求の範囲】
【請求項１】
被穿孔シートを挿入するスリット（１１）及び該スリット（１１）に交差する方向に穿孔刃（１３）を案内する案内孔（１２）が形成されたパンチ基台（１０）と、前記案内孔（１２）内に案内される穿孔刃（１３）と、前記パンチ基台（１０）及び前記穿孔刃（１３）を収容すると共に前記スリット（１１）に対応する隙間（２３）及び前記穿孔刃（１３）の操作部（１５）を配設する開口部（２５）が形成されたハウジング（２０）と、からなり、前記パンチ基台（１０）及び前記穿孔刃（１３）は、前記穿孔刃（１３）の操作部（１５）が前記ハウジング（２０）の開口部（２５）に配設された状態で、前記操作部（１５）の操作面（１６）が前記ハウジング（２０）の上面（２４）とほぼ同一面を形成するように前記ハウジング（２０）内に収容されることを特徴とするパンチ。
【請求項２】
前記ハウジング（２０）の開口部（２５）の周囲に、前記穿孔刃（１３）の操作部（１５）を案内する案内壁（２７）を設けたことを特徴とする請求項１に記載のパンチ。
【請求項３】
前記案内孔（１２）及び前記穿孔刃（１３）は、適宜の模様を打ち抜く形状に形成されていることを特徴とする請求項１または２に記載のパンチ。
【請求項４】
前記案内孔（１２）及び前記穿孔刃（１３）は、複数の模様を一度に打ち抜く形状に形成されていることを特徴とする請求項１または２に記載のパンチ。
【請求項５】
被穿孔シートを挿入するスリット（１１）及び該スリット（１１）に交差する方向に穿孔刃（１３）を案内する案内孔（１２）が形成されたパンチ基台（１０）と、前記案内孔（１２）内に案内される穿孔刃（１３）と、前記パンチ基台（１０）及び前記穿孔刃（１３）を収容すると共に前記スリット（１１）に対応する隙間（２３）及び前記穿孔刃（１３）の操作部（１５）を配設する開口部（２５）が形成されたハウジング（２０）と、からなり、前記パンチ基台（１０）及び前記穿孔刃（１３）が、前記穿孔刃（１３）の操作部（１５）が前記ハウジング（２０）の開口部（２５）に配設された状態で、前記操作部（１５）の操作面（１６）が前記ハウジング（２０）の上面（２４）とほぼ同一面を形成するように前記ハウジング（２０）内に収容されるように構成されたパンチ（１）と組み合わせて使用するパンチ補助具（３）であって、
補助具基台（３０）の両側より起立する一対のアーム（３６）と、該アーム（３６）に枢支された押圧操作部材（４０）と、を備え、前記パンチ（１）の操作面（１６）を押圧する押圧部（４１）を前記押圧操作部材（４０）の枢支端部（４３）近傍に設けたことを特徴とするパンチ補助具。
【請求項６】
前記補助具基台（３０）は、前記押圧操作部材（４０）の押圧部（４１）の下方に、パンチ（１）の底部を保持する保持部（３２）を有することを特徴とする請求項５に記載のパンチ補助具。
【請求項７】
前記パンチ（１）の挿脱開口部（３１）は、前記補助具基台（３０）の上面と前記押圧操作部材（４０）との間に形成されることを特徴とする請求項５または６に記載のパンチ補助具。
【請求項８】
前記アーム（３６）と前記補助具基台（３０）との間に補強部材（３８）を設けたことを特徴とする請求項５〜７のいずれかに記載のパンチ補助具。
【請求項９】
前記補強部材（３８）は、前記アーム（３６）の側面と前記補助具基台（３０）の底面との間に連設されることを特徴とする請求項８に記載のパンチ補助具。
【請求項１０】
前記押圧部（４１）は、前記操作面（１６）との当接箇所に、保護カバーを備えることを特徴とする請求項５〜９のいずれかに記載のパンチ補助具。
【請求項１１】
前記押圧部（４１）は、前記押圧操作部材（４０）の枢支端部（４３）近傍に回転自在に設けたローラ（４７）から構成されることを特徴とする請求項５〜９のいずれかに記載のパンチ補助具。
【請求項１２】
被穿孔シートを挿入するスリット（１１）及び該スリット（１１）に交差する方向に穿孔刃（１３）を案内する案内孔（１２）が形成されたパンチ基台（１０）と、前記案内孔（１２）内に案内される穿孔刃（１３）と、前記パンチ基台（１０）及び前記穿孔刃（１３）を収容すると共に前記スリット（１１）に対応する隙間（２３）及び前記穿孔刃（１３）の操作部（１５）を配設する開口部（２５）が形成されたハウジング（２０）と、からなり、前記パンチ基台（１０）及び前記穿孔刃（１３）が、前記穿孔刃（１３）の操作部（１５）が前記ハウジング（２０）の開口部（２５）に配設された状態で、前記操作部（１５）の操作面（１６）が前記ハウジング（２０）の上面（２４）とほぼ同一面を形成するように前記ハウジング（２０）内に収容されるように構成されたパンチ（１）と、
該パンチ（１）と組み合わせて使用され、補助具基台（３０）の両側より起立する一対のアーム（３６）と、該アーム（３６）に枢支された押圧操作部材（４０）と、を備え、前記パンチ（１）の操作面（１６）を押圧する押圧部（４１）を前記押圧操作部材（４０）の枢支端部（４３）近傍に設けたパンチ補助具（３）と、
からなることを特徴とする補助具付きパンチ。
【請求項１３】
前記パンチ（１）の案内孔（１２）及び前記穿孔刃（１３）は、適宜の模様を打ち抜く形状に形成されていることを特徴とする請求項１２に記載の補助具付きパンチ。
【請求項１４】
前記パンチ（１）を前記パンチ補助具（３）に挿脱するための挿脱開口部（３１）を、前記パンチ補助具（３）の補助具基台（３０）の上面と前記押圧操作部材（４０）との間に形成することを特徴とする請求項１２または１３に記載の補助具付きパンチ。
【発明の詳細な説明】
【技術分野】
【０００１】
本発明は、主として紙などのシート素材に適宜形状の模様などを切り抜いて、適宜形状の模様などに対応した孔をあけたシート材を製作したり、或は、適宜形状の模様などに切り抜いた切り抜き片を利用して、この切り抜き片を別のシート素材や物品に貼着して、模様付きのシート材や物品などを製作するために使用するパンチ、このパンチと組み合わせて使用するパンチ補助具及びパンチとパンチ補助具を組み合わせた補助具付きパンチに関する。
また、本発明は、特に、異なる形状の模様などに対応する孔をあけることができる複数のパンチと、これらのパンチを交換自在に装着することができるパンチ補助具及び複数のパンチとパンチ補助具を組み合わせた補助具付きパンチに関するものである。
【背景技術】
【０００２】
従来から、種々の形状の模様などを切り抜くことができるパンチが存在する。このような形態のパンチとして、特許文献１には、ベースに対して、ダイとパンチの組立体を交換可能に構成して、異なる形状の孔を穿孔できるパンチ道具が開示されている。このパンチ道具は、開口部を有するベース、このベース上に所定の隙間をあけて固定されたキャップ、キャップ内に摺動自在に配設したアクチュエータボタン、からパンチ外殻体を構成して、ベースの下方から開口部を介して選択したダイとパンチの組立体をキャップ及びアクチュエータボタン内に挿入して所定位置に固定して、アクチュエータボタンを押圧することにより、紙に種々の形状の模様をあけることができる。
【０００３】
また、種々の形状の模様などを切り抜くことができる複数のパンチとパンチ補助具を組み合わせて、パンチを交換することにより、異なる形状の模様など打抜くことができるパンチ用具が存在する。
この形態のパンチ用具として、特許文献２には、ベースと、ベースから立設した支持アームと、支持アームの先端に連結した案内体と、支持アームに上下動自在に連結された腕部を備えた押圧部と、案内体内に移動自在に挿入された可動部と、からパンチャー本体を構成し、このパンチャー本体に対して、種々のパンチャー基台及び穿孔部を着脱自在に構成することにより、紙などに複数の図案を切り抜くことができるパンチャーが開示されている。
また、特許文献３には、ハンドルを揺動自在に装着したベースに対して、内側パンチ、外側パンチ、パンチ基台などを収容したパンチ組立体を着脱自在に構成して、パンチ組立体を交換することにより適宜形状の模様などを切り抜くことができるペーパーパンチが開示されている。このペーパーパンチは、ハンドルの位置を通常の使用形態よりもさらに持ち上げることにより、ベースに対してパンチ組立体を着脱できるようにしている。
さらに、特許文献４には、ベース上に揺動自在に枢着されたレバーを備えたパンチ作動具を利用して、ベース上に固定したテンプレートで位置決めしたパンチをレバーで押圧することにより、紙などに適宜の形状を切り抜くことができるパンチ作動具が開示されている。
【特許文献１】特開平８−２２９８９６号公報
【特許文献２】特開２００２−２３９９９４号公報
【特許文献３】米国特許第６，０８９，１３７号明細書
【特許文献４】米国特許第６，１４５，４２５号明細書
【発明の開示】
【発明が解決しようとする課題】
【０００４】
特許文献１に開示されたパンチ道具では、ダイとパンチの組立体を交換可能に構成することにより異なる形状の孔を穿孔することができるが、上方に突出したアクチュエータボタンを直接押圧する必要があるため、対象とするシート材が限定され、また、複雑な形状の模様や複数の模様を一度に切り抜くためには相当の押圧力を要するおそれがあり、使用対象者が限定されてしまう。
特許文献２に開示されたパンチャーでは、パンチャー基台及び穿孔部をパンチャー本体に対して着脱自在に構成することにより異なる形状の孔を穿孔することができるが、支持アームや押圧部を備えた腕部がベースから上方に突出するため、パンチャーが大型化してしまう。また、パンチャー基台をベースに、穿孔部を可動部に、それぞれ別々に取り付けなければならないため、汎用のパンチを使用することはできない。
特許文献３に開示されたペーパーパンチでは、パンチ組立体を交換することにより適宜形状の模様などを切り抜くことができるが、パンチ組立体を交換する際には、ハンドルの位置を通常の使用形態よりも大きく持ち上げなければならないため、パンチ組立体の交換作業が煩雑となるおそれがある。
特許文献４に開示されたパンチ作動具では、パンチを交換することにより適宜形状の模様などを切り抜くことができるが、ハンドルの枢着部とパンチの押圧部とが離れているため、押圧操作力を小さくしようとすると、ハンドルの長さが長くなってしまい、その結果、パンチ作動具が大型化してしまう。
【０００５】
本発明は、以上のような課題に鑑みてなされたもので、パンチとして単独で使用することができると共にパンチ補助具と組み合わせて使用することができるパンチ、このパンチを通常の押圧力よりも小さい押圧力で操作することができるパンチ補助具及びパンチとパンチ補助具を組み合わせた補助具付きパンチを提供することを目的とする。
【課題を解決するための手段】
【０００６】
上記目的を達成するために、請求項１に記載のパンチに係る発明は、被穿孔シートを挿入するスリット（１１）及び該スリット（１１）に交差する方向に穿孔刃（１３）を案内する案内孔（１２）が形成されたパンチ基台（１０）と、案内孔（１２）内に案内される穿孔刃（１３）と、パンチ基台（１０）及び穿孔刃（１３）を収容すると共にスリット（１１）に対応する隙間（２３）及び穿孔刃（１３）の操作部（１５）を配設する開口部（２５）が形成されたハウジング（２０）と、からなり、パンチ基台（１０）及び穿孔刃（１３）は、穿孔刃（１３）の操作部（１５）がハウジング（２０）の開口部（２５）に配設された状態で、操作部（１５）の操作面（１６）がハウジング（２０）の上面（２４）とほぼ同一面を形成するようにハウジング（２０）内に収容されることを特徴とする。
また、請求項２に記載の発明は、請求項１に記載の発明において、ハウジング（２０）の開口部（２５）の周囲に、穿孔刃（１３）の操作部（１５）を案内する案内壁（２７）を設けたことを特徴とする。
さらに、請求項３に記載の発明は、請求項１または２に記載の発明において、案内孔（１２）及び穿孔刃（１３）は、適宜の模様を切り抜く形状に形成されていることを特徴とする。
さらにまた、請求項４に記載の発明は、請求項１または２に記載の発明において、案内孔（１２）及び穿孔刃（１３）は、複数の模様を一度に切り抜く形状に形成されていることを特徴とする。
【０００７】
上記目的を達成するために、請求項５に記載のパンチ補助具に係る発明は、被穿孔シートを挿入するスリット（１１）及び該スリット（１１）に交差する方向に穿孔刃（１３）を案内する案内孔（１２）が形成されたパンチ基台（１０）と、前記案内孔（１２）内に案内される穿孔刃（１３）と、前記パンチ基台（１０）及び前記穿孔刃（１３）を収容すると共に前記スリット（１１）に対応する隙間（２３）及び前記穿孔刃（１３）の操作部（１５）を配設する開口部（２５）が形成されたハウジング（２０）と、からなり、前記パンチ基台（１０）及び前記穿孔刃（１３）が、前記穿孔刃（１３）の操作部（１５）が前記ハウジング（２０）の開口部（２５）に配設された状態で、前記操作部（１５）の操作面（１６）が前記ハウジング（２０）の上面（２４）とほぼ同一面を形成するように前記ハウジング（２０）内に収容されるように構成されたパンチ（１）と組み合わせて使用するパンチ補助具（３）であって、補助具基台（３０）の両側より起立する一対のアーム（３６）と、該アーム（３６）に枢支された押圧操作部材（４０）と、を備え、前記パンチ（１）の操作面（１６）を押圧する押圧部（４１）を前記押圧操作部材（４０）の枢支端部（４３）近傍に設けたことを特徴とする。
また、請求項６に記載の発明は、請求項５に記載の発明において、前記補助具基台（３０）は、前記押圧操作部材（４０）の押圧部（４１）の下方に、パンチ（１）の底部を保持する保持部（３２）を有することを特徴とする。
さらに、請求項７に記載の発明は、請求項５または６に記載の発明において、前記パンチ（１）の挿脱開口部（３１）は、補助具基台（３０）の上面と押圧操作部材（４０）との間に形成されることを特徴とする。
さらにまた、請求項８に記載の発明は、請求項５〜７のいずれかに記載の発明において、アーム（３６）と補助具基台（３０）との間に補強部材（３８）を設けたことを特徴とする。
さらにまた、請求項９に記載の発明は、請求項８に記載の発明において、補強部材（３８）は、アーム（３６）の側面と補助具基台（３０）の底面との間に連設されることを特徴とする。
さらにまた、請求項１０に記載の発明は、請求項５〜９のいずれかに記載の発明において、前記押圧部（４１）は、前記操作面（１６）との当接箇所に、保護カバーを備えることを特徴とする。
さらにまた、請求項１１に記載の発明は、請求項５〜９のいずれかに記載の発明において、前記押圧部（４１）は、前記押圧操作部材（４０）の枢支端部（４３）近傍に回転自在に設けたローラ（４７）から構成されることを特徴とする。
【０００８】
上記目的を達成するために、請求項１２に記載の補助具付きパンチに係る発明は、被穿孔シートを挿入するスリット（１１）及び該スリット（１１）に交差する方向に穿孔刃（１３）を案内する案内孔（１２）が形成されたパンチ基台（１０）と、前記案内孔（１２）内に案内される穿孔刃（１３）と、前記パンチ基台（１０）及び前記穿孔刃（１３）を収容すると共に前記スリット（１１）に対応する隙間（２３）及び前記穿孔刃（１３）の操作部（１５）を配設する開口部（２５）が形成されたハウジング（２０）と、からなり、前記パンチ基台（１０）及び前記穿孔刃（１３）が、前記穿孔刃（１３）の操作部（１５）が前記ハウジング（２０）の開口部（２５）に配設された状態で、前記操作部（１５）の操作面（１６）が前記ハウジング（２０）の上面（２４）とほぼ同一面を形成するように前記ハウジング（２０）内に収容されるように構成されたパンチ（１）と、該パンチ（１）と組み合わせて使用され、補助具基台（３０）の両側より起立する一対のアーム（３６）と、該アーム（３６）に枢支された押圧操作部材（４０）と、を備え、前記パンチ（１）の操作面（１６）を押圧する押圧部（４１）を前記押圧操作部材（４０）の枢支端部（４３）近傍に設けたパンチ補助具（３）と、からなることを特徴とする。
また、請求項１３に記載の発明は、請求項１２に記載の発明において、前記パンチ（１）の案内孔（１２）及び前記穿孔刃（１３）は、適宜の模様を打ち抜く形状に形成されていることを特徴とする。
さらに、請求項１４に記載の発明は、請求項１２または１３に記載の発明において、前記パンチ（１）を前記パンチ補助具（３）に挿脱するための挿脱開口部（３１）を、前記パンチ補助具（３）の補助具基台（３０）の上面と前記押圧操作部材（４０）との間に形成することを特徴とする。
【発明の効果】
【０００９】
請求項１に記載のパンチに係る発明によれば、パンチ基台及び穿孔刃は、穿孔刃の操作部がハウジングの開口部に配設された状態で、操作部の操作面がハウジングの上面とほぼ同一面を形成するようにハウジング内に収容したので、操作部の操作面がハウジングから突出しないため、パンチ自体がコンパクトとなり、不用意に操作部を操作してしまうことがない。また、複数の模様などを一度に切り抜くことができるパンチとして単独で使用することができると共に、パンチをパンチ補助具と組み合わせて使用する場合でも、大型のパンチ補助具を使用することなく適宜形状の模様などを切り抜くことができるパンチを提供することが可能となる。
請求項２に記載の発明によれば、上記請求項１の効果に加えて、ハウジングの開口部の周囲に、穿孔刃の操作部を案内する案内壁を設けたので、穿孔刃及び穿孔刃の操作部を正確に案内させることができる。また、操作部とハウジングの開口部との間に間隙が形成されないため、操作面を押圧した際に、操作部とハウジングの開口部との間の隙間に指を挟むことがないので、パンチ自体の安全性を向上させることが可能となる。
請求項３及び４に記載の発明によれば、上記請求項１または２の効果に加えて、複雑な模様などを簡単に切り抜くことができるパンチを提供することが可能となる。
【００１０】
また、請求項５に記載のパンチ補助具に係る発明によれば、パンチ補助具は、補助具基台の両側より起立する一対のアームと、該アームに枢支された押圧操作部材とを備え、パンチの操作面を押圧する押圧部を押圧操作部材の枢支端部近傍に設けたので、複数の模様を一度に切り抜くパンチや、複雑な模様や大きい模様を切り抜くパンチのように大きな押圧力を必要とするパンチでも、通常の押圧力よりも小さい押圧力でパンチを押圧操作することができるパンチ補助具を提供することが可能となる。特に、パンチの操作面を押圧する押圧部を押圧操作部材の枢支端部の近傍に設けたので、押圧作用点と枢支点との距離を短く設定することができるため、パンチ補助具を大型化することなく大きな押圧力を備えたパンチ補助具を構成することができる。
請求項６に記載の発明によれば、上記請求項５の効果に加えて、補助具基台は、押圧操作部材の押圧部の下方にパンチの底部を保持する保持部を備えるので、パンチを保持部に装着する操作だけでパンチを動かないように位置決めして保持することができる。
請求項７に記載の発明によれば、上記請求項５の効果に加えて、補助具基台の上面と押圧操作部材との間にパンチの挿脱開口部を形成したので、押圧操作部材の位置を変えることなく、被穿孔シートを差し込む方向からパンチをパンチ補助具の挿脱開口部に挿脱することが可能となり、適宜選択したパンチを簡単に交換することができる。
請求項８に記載の発明によれば、上記請求項５〜７のいずれかの効果に加えて、アームと補助具基台との間に補強部材を設けたので、アームに作用する荷重を大きくすることができるため、押圧操作部材の押圧力をさらに高めることができると共に、アーム及び補助具基台の強度を向上させることができる。
請求項９に記載の発明によれば、上記請求項８の効果に加えて、補強部材をアームの側面と補助具基台の底面との間に連設したので、アーム及び補助具基台の強度をさらに向上させることができる。
請求項１０に記載の発明によれば、上記請求項５〜９のいずれかの効果に加えて、押圧部の操作面との当接箇所に保護カバーを備えたので、パンチの操作面を損傷させないように保護することができる。
請求項１１に記載の発明によれば、上記請求項５〜９のいずれかの効果に加えて、押圧部は、押圧操作部材の枢支端部の近傍に回転自在に設けたローラから構成したので、押圧操作部材を押し下げた際に、パンチの操作面を押圧するローラは、パンチの操作面に接触しながら回転できるため、パンチの操作面との接触抵抗がさらに低下して、パンチの操作面を損傷させないように保護することができる。
【００１１】
請求項１２に記載の補助具付きパンチに係る発明によれば、穿孔刃の操作部の操作面がハウジングの上面とほぼ同一面で形成されたパンチと、パンチの操作面を押圧する押圧部を押圧操作部材の枢支端部の近傍に設けたパンチ補助具と、を組み合わせて補助具付きパンチを構成したので、小型化したパンチを使用することにより、押圧作用点と枢支点との距離を短く設定することができるので、複数の模様を一度に切り抜くパンチや、複雑な模様や大きい模様を切り抜くパンチのように大きな押圧力を必要とするパンチでも、通常の押圧力よりも小さい押圧力で押圧操作することができ、かつ、小型化した補助具付きパンチを提供することが可能となる。
請求項１３に記載の発明によれば、上記請求項１２の効果に加えて、適宜形状の穿孔を紙などの被穿孔シートにあけたり、被穿孔片を制作するクラフト作業現場においては、異なる断面形状の穿孔刃を備えた複数のパンチを必要とし、適宜のパンチを選択してパンチを取り換えながらパンチ補助具に装着して作業を行うため、パンチの取り換え作業の回数も多く、広いスペースや収納スペースが必要となるが、小型化したパンチを使用するのでパンチの取り換え作業が容易になると共に、小型化したパンチとパンチ補助具を組み合わせた補助具付きパンチを使用するので、作業スペースや収納スペースを削減することが可能となる。
請求項１４に記載の発明によれば、上記請求項１２または１３の効果に加えて、パンチをパンチ補助具に挿脱するための挿脱開口部を、パンチ補助具の補助具基台の上面と押圧操作部材との間に形成したので、押圧操作部材の位置を変えることなく、被穿孔シートを差し込む方向からパンチをパンチ補助具の挿脱開口部に挿脱するだけで、適宜選択したパンチを簡単に交換することができるため、パンチの取り換え作業が容易となる。
【発明を実施するための最良の形態】
【００１２】
本発明の実施の形態に係るパンチ、パンチ補助具及びパンチとパンチ補助具を組み合わせた補助具付きパンチを図１〜図９に基づいて説明する。
図１及び図２に示すように、パンチ１及びパンチ補助具３は、基本的には、パンチ補助具３の挿脱開口部３１（図６及び図７において補助具基台３０と押圧操作部材４０の枢支端部４３との間に形成した開口部）からパンチ１をパンチ補助具３内に挿入して、パンチ補助具３の保持部３２（図６及び図７参照）にパンチ１を所定位置に位置決めして保持した補助具付きパンチの形態で使用される。
また、図３〜図５に示すように、パンチ１は、パンチ補助具３から取り外して単独で使用することができるように構成されている。
【００１３】
まず、パンチ１について、図３〜図５を参照して説明する。
パンチ１は、パンチ基台１０、穿孔刃１３及びパンチ基台１０と穿孔刃１３の組立体を収容するハウジング２０から基本的に構成されている。
パンチ基台１０と穿孔刃１３の組立体を収容するハウジング２０は、その外形形状は、平面視ほぼ前方後円墳の形状で、かつ、側面視ほぼ扁平状の形状に形成されると共に、その内形形状も外形形状と相似形の形状で、適宜の合成樹脂材料から形成されている。なお、ハウジング２０の外径形状は、丸形、矩形、三角形などの適宜形状に形成することができ、また、ハウジング２０は、適宜の金属材料から形成してもよい。
また、ハウジング２０は、ハウジング２０を上下方向に分割するように上ハウジング２１と下ハウジング２２とから構成されており、上ハウジング２１と下ハウジング２２との接合部には、後述するパンチ基台１０のスリット１１に対応させて隙間２３が形成されている。この隙間２３は、下ハウジング２２の半円形形状部から方形形状部に至る部分を切り欠いて形成されており、上ハウジング２１と下ハウジング２２とを接合させた際に、上下方向の隙間２３が形成される。
【００１４】
上ハウジング２１のハウジング上面２４には、上ハウジング２１の平面視形状とほぼ相似形で平面視ほぼ前方後円墳の形状の開口部（上ハウジング開口）２５が形成されている。また、上ハウジング開口２５の全周囲には、上ハウジング２１の内側に垂下するように、後述する穿孔刃１３の操作部１５（操作部カバー１６の外周面）を案内する案内壁２７が上ハウジング２１と一体に垂設して形成されている。この案内壁２７は上ハウジング開口２５の全周囲から垂設されており、操作部カバー１６の上面（操作面１６）が上ハウジング上面２４よりも下方に押し込まれた際に、案内壁２７と操作部１５、すなわち、案内壁２７と操作部カバー１６の上面（操作面１６）との間に隙間が形成されないようにして、安全性を高めている。また、案内壁２７の長さは、後述する突起案内溝２８を形成することができる長さに設定されている。なお、上ハウジング開口２５の周囲から上ハウジング２１の内側に垂下するように形成する案内壁２７は、適宜の角度で傾斜させて形成してもよい。
そして、案内壁２７には、図２及び図５に示すように、案内壁２７の操作部カバー１６との当接面に、操作部カバー１６の外周面下部に形成した突起１７と協働して、操作部カバー１６の上ハウジング開口２５からの突出高さを規制する突起案内溝２８が案内壁２７の壁面と一体に形成されている。この突起案内溝２８の長さは、図２に示すように、穿孔刃１３が押し下げられてほぼ最下端に位置した状態、すなわち、スプリング１８がほぼ全圧縮された状態で、操作部カバー１６の突起１７が突起案内溝２８の下端から外れない長さに設定されている。
さらに、下ハウジング２２の下面には下ハウジング開口２６が形成されており、この下ハウジング開口２６から、パンチ１を使用して被穿孔シートに適宜形状の模様などを切り抜いた際の切り抜き片を落下させることができるようにしている。
【００１５】
パンチ基台１０は、適宜の材料、例えば、亜鉛金属などの鋳造品から形成されている。パンチ基台１０には、その下部に被穿孔シート（図示省略）を挿入するスリット１１が水平方向に形成されると共に、スリット１１と交差するように、穿孔刃１３を摺動自在に案内する案内孔１２がほぼ垂直方向に形成されている。
ここで、案内孔１２の断面形状は、後述する穿孔刃１３の断面形状、すなわち、円形、三角形、正方形、星形などの図形、数字やアルファベットなどの文字、動物や花などの模様、または、これらの図形、文字及び模様を適宜組み合わせた複数の模様と同じ形状に形成されており、図形、文字、模様または図形、文字及び模様を適宜組み合わせた複数の模様などの形状を一度に打ち抜くことができる断面形状に形成されている。また、被穿孔シートは、紙などのシート状材料に限定されることはなく、合成樹脂製、繊維製、金属製、皮革製などの適宜材料から製造されたシート状材料、テープ状材料を対象とする。
【００１６】
パンチ基台１０の案内孔１２内に摺動自在に案内される穿孔刃１３は、パンチ基台１０と同じ亜鉛金属などの鋳造品から案内孔１２の断面形状と同じ形状に形成されており、穿孔刃１３の下端部に形成された刃先部分が、パンチ基台１０のスリット１１と案内孔１２とが交差する部分に形成された刃部分と協働することにより、スリット１１に挿入された被穿孔シートに適宜形状の模様などの孔を穿孔すると共に、適宜形状の模様などを切り抜くことができるようになっている。
また、穿孔刃１３の上端部にはフランジ部１４が形成されており、穿孔刃１３をパンチ基台１０の案内孔１２に挿入した状態で、フランジ部１４の下面とパンチ基台１０の上面との間にスプリング１８が介装されるようになっている。このスプリング１８は、パンチ１が組立てられた状態では、図５に示すように、穿孔刃１３のフランジ部１４の下面とパンチ基台１０の上面との間に初期状態から少し圧縮された状態で介装され、また、穿孔刃１３が押し下げられた状態では、図２に示すように、ほぼ全圧縮状態に圧縮することができるように設定されている。
さらに、穿孔刃１３のフランジ部１４には、フランジ部１４全体を上方から覆うように、上端を閉塞したほぼ筒状の操作部カバー１６が被着されており、この操作部カバー１６は、穿孔刃１３のフランジ部１４に装着された状態でハウジング２０の案内壁２７に沿って摺動自在に案内される。そして、図２及び図５に示すように、操作部カバー１６には、案内壁２７に形成した突起案内溝２８と協働して、操作部カバー１６の上ハウジング開口２５からの突出高さを規制する突起１７が形成されている。この突起１７は、パンチ１が組立てられた状態では、図５に示すように、突起案内溝２８の上端に当接して上方への移動が規制され、また、穿孔刃１３が押し下げられた状態では、図２に示すように、突起案内溝２８の下端から外れない位置まで移動される。
ここで、操作部カバー１６は、その平面視形状を上ハウジング開口２５の開口部の形状とほぼ同じ形状に形成する必要がある。これに対して、穿孔刃１３のフランジ部１４は、主として、そのほぼ中央部に押圧力が作用するため、操作部カバー１６の平面視形状と同じ形状に形成する必要はないが、操作部カバー１６の平面視形状と同じ形状に形成してもよい。
なお、操作部カバー１６は、ハウジング２０を構成する材料と同じ材料から構成してもよいが、後述するように、穿孔時に押圧操作部材４０の押圧部４１に当接するので、耐磨耗性を備えると共に滑りやすい合成樹脂などの材料から構成する方が好適である。
【００１７】
上述したように、パンチ１は、パンチ基台１０、穿孔刃１３及びハウジング２０から構成されているが、このパンチ１は、以下のようにして組立てられる。
まず、パンチ基台１０の上面と穿孔刃１３のフランジ部１４との間にスプリング１８が介装されるように、パンチ基台１０の案内孔１２に穿孔刃１３を挿入して、パンチ基台１０と穿孔刃１３の組立体を組み立てる。
次に、パンチ基台１０と穿孔刃１３の組立体を、パンチ基台１０のスリット１１が下ハウジング２２の隙間２３に対応するように、下ハウジング２２に装着して位置決めする。
その後、上ハウジング２１の案内壁２７を穿孔刃１３の操作部カバー１６の形状に合わせて装着する。この際に、案内壁２７の突起案内溝２８に操作部カバー１６の突起１７を嵌合させて、操作部カバー１６の上面（操作面１６）が上ハウジング上面２４とほぼ同一面（ほぼ同一高さ）となるように、操作部カバー１６を案内壁２７内に保持させる。
その結果、パンチ１は、図５に示すように、パンチ基台１０と穿孔刃１３の組立体がスプリング１８が初期状態から少し圧縮された状態、すなわち、穿孔刃１３の操作部１５が上ハウジング２１の開口部２５に配設された状態で、操作部カバー１６の上面（操作面１６）が上ハウジング上面２４とほぼ同一面（ほぼ同一高さ）を形成するようにハウジング２０内に収容されて組立てられる。
なお、ハウジング２０は、上ハウジング２１と下ハウジング２２とから形成されているため、ハウジング２０内にパンチ基台１０と穿孔刃１３の組立体を収容する際の作業が容易となる。
【００１８】
次に、パンチ補助具３について、図６〜図９を参照して説明する。
パンチ補助具３は、補助具基台３０、この補助具基台３０に揺動自在に枢着された押圧操作部材４０から構成されている。
補助具基台３０は、平面視で細長いほぼ前方後円墳の形状で、かつ、側面視で扁平形状で、例えば、合成樹脂材料から形成されており、補助具基台３０の内側裏面には補助具基台３０を補強するほぼ格子状のリブ３４（図２及び図８参照）が一体に形成されると共に補助具基台３０の内側裏面の四隅には滑り止め３５の取り付け部が一体に形成されている。また、補助具基台３０の平面視ほぼ半円形形状の部分には、パンチ１の保持部３２が凹設されると共に、補助具基台３０の平面視ほぼ方形形状の部分には、穿孔操作時に押圧操作部材４０の当接部４２が当接する平面が形成されている。なお、補助具基台３０は、平面視で長方形、長円形などの適宜形状に形成することができる。
パンチ１の保持部３２は、パンチ１を構成する下ハウジング２２の底面形状とほぼ同じ形状に形成されており、パンチ１を保持部３２に位置決めして保持した場合、パンチ１を動かないように位置固定できるように凹状に形成されている。また、保持部３２には、補助具基台３０を貫通するように基台開口３３が形成されており、この基台開口３３から、パンチ１で適宜形状の模様などを切り抜いた切り抜き片を落下させることができるように構成されている。なお、保持部３２は、パンチ１の下ハウジング２２の底部を保持できる形状であれば、例えば、パンチ１の下ハウジング２２の底面に設けた凹部に嵌合するように凸部を形成してもよい。
【００１９】
また、補助具基台３０には、その両側ほぼ中央部から斜め前方に傾斜させて一対のアーム３６が立設されており、この一対のアーム３６の先端部に、後述する押圧操作部材４０を枢着する枢支部３７が形成されている。さらに、補助具基台３０と各アーム３６との間には、補助具基台３０の底面から各アーム３６の側面にかけて、側面視ほぼＹ字状の補強部材３８が補助具基台３０と各アーム３６内に一体的に埋め込まれるように設けられている。補強部材３８は、図８及び図９に示すように、アーム３６を補強するアーム補強部３８Ａ、保持部３２を補強する保持部補強部３８Ｂ及び補助具基台３０を補強する基台補強部３８Ｃが一体的に形成されている。そして、アーム補強部３８Ａは、アーム３６の枢支部３７まで延設され、アーム３６と押圧操作部材４０の枢支端部４３とを枢着する枢支軸５０を保持する。この補強部材３８により、特に、補助具基台３０に対するアーム３６の付け根部分の破損及びアーム３６の枢支部３７の破損を防止するようにしている。
また、保持部補強部３８Ｂと基台補強部３８Ｃは、図９に示すように、前後に分離して段差を有するように形成されており、この段差を利用して、基台補強部３８Ｃを補助具基台３０にビス３９により固着して、補強部材３８を補助具基台３０に確実に取り付けることができるようにしている。なお、保持部補強部３８Ｂの底面は、補助具基台３０の周辺下面と同一となっている。そのため、押圧操作部材４０を押圧することによって発生するアーム３６と補助具基台３０との接続部分、すなわち、補助具基台３０に対するアーム３６の付け根部分への負荷に対して、保持部３２の付け根部分が耐えられるようになっている。
なお、本実施の形態では、ほぼＹ字状の補強部材３８を用いた例について説明するが、補強部材３８は、補助具基台３０に一体に形成した一対のアーム３６の立設形態に応じてアーム３６を補強する形状に形成される。例えば、補助具基台３０に対して一対のアーム３６がほぼ垂直に、或は、ほぼＣ字状に立設される場合には、その形態に応じて補強部材３８の形状も変更される。また、補強部材３８は、アーム３６と補助具基台３０との間に設けられていればよく、例えば、アーム３６と補助具基台３０との接続部分、アーム３６と補助具基台３０との接続部分を含む補助具基台３０の長手方向の部分、補助具基台３０の平面視ほぼ方形形状の部分からアーム３６の先端部に至る部分、または、補助具基台３０の保持部３２からアーム３６の先端部に至る部分に設けてもよい。
【００２０】
補助具基台３０の一対のアーム３６の間に枢支される押圧操作部材４０は、補助具基台３０とほぼ同じ大きさの平面形状で、例えば、合成樹脂材料から形成されており、押圧操作部材４０の内側裏面には押圧操作部材４０を補強するリブ４４（図２参照）が一体に形成されている。
また、押圧操作部材４０の前端部には、一対のアーム３６に枢着される枢支端部４３が形成されており、この枢支端部４３は、一対のアーム３６の枢支部３７の間に取り付けられた枢支軸５０を介して、補助具基台３０に揺動自在に枢着される。
さらに、押圧操作部材４０の後端部下面には、当接部４２が下方に突出するように、押圧操作部材４０と一体に形成されている。この当接部４２は、押圧操作部材４０を押し下げた際に補助具基台３０の上面に当接して、押圧操作部材４０の押し下げ範囲を規制するように構成されている。
【００２１】
また、押圧操作部材４０の前端部下面には、枢支端部４３に隣接して押圧部４１が下方に突出するように、押圧操作部材４０と一体に形成されている（第１の形態の押圧部）。この押圧部４１は、補助具基台３０の凹状の保持部３２にパンチ１を保持した状態でパンチ１の操作部１５、すなわち操作部カバー１６（操作面１６）を上方から押圧して、パンチ１の穿孔刃１３を下方に押し下げて、スリット１１に挿入した被穿孔シートに適宜形状の模様などを切り抜くことができるように形成されている。
さらに、押圧操作部材４０の押圧部４１は、パンチ１の操作部カバー１６の上面（操作面１６）に接触しているため、押圧操作部材４０を押し下げた際に、操作部カバー１６の上面（操作面１６）を損傷させるおそれがあるので、押圧部４１の下面に、耐磨耗性を備えると共に滑りやすい合成樹脂などの材料から形成された保護カバー（図示省略）を装着してもよい（第２の形態の押圧部）。この場合、保護カバーは、押圧部４１に合成樹脂材料をコーティングしてもよく、あるいは、押圧部４１に保護シートを貼着して形成してもよい。
【００２２】
上述した第１及び第２の形態の押圧部では、押圧部４１を押圧操作部材４０と一体に形成した形態について説明したが、図１０〜図１３に示すように、押圧部４１は、押圧操作部材４０の枢支端部４３の近傍に回転自在に設けたローラ４７から構成してもよい（第３の形態の押圧部）。
この第３の形態の押圧部では、押圧操作部材４０は、第１及び第２の形態に係る押圧部を備えた押圧操作部材４０と同様に、押圧操作部材４０の内側裏面にリブ４４が一体に形成されており、ローラ４７を配設するために、枢支端部４３の近傍に形成されたリブ４４のほぼ中央部分を切り欠いて、ローラ４７を配設できる程度の凹部４５が形成されている。ここで、凹部４５を形成する際に、凹部４５の両側に切り欠かれないままのリブ４４、４４がそのまま残されるので、これらのリブ４４，４４を回転軸４８の軸取付部４６、４６として利用する。
そして、凹部４５内に、両端を軸取付部４６，４６に取り付けた回転軸４８を介して一個のローラ４７を回転自在に装着する。ここで、回転軸４８は、ローラ４７の回転方向が押圧操作部材４０の回転方向と同じ方向となるように、枢支軸５０と平行に取り付ける。
このようにして、押圧操作部材４０の枢支端部４３の近傍に、押圧部４１として機能するローラ４７が回転自在に取り付けられる。
この第３の形態に係る押圧部４１（ローラ４７）では、押圧操作部材４０を押し下げた際に、パンチ１の操作面（操作部カバー）１６を押圧するローラ４７は、パンチ１の操作面１６に接触しながら、押圧操作部材４０を押し下げる方向（回転方向）と同じ方向に回転できるため、パンチ１の操作面１６との接触抵抗がさらに低下して、パンチ１の操作面１６を損傷させないように保護することができる。
なお、第３の形態に係る押圧部を、一個のローラ４７により構成する形態について説明したが、ローラ４７は、二個或はそれ以上で構成することもできる。
【００２３】
そして、補助具基台３０の各アーム３６の各枢支部３７に、枢支軸５０を介して押圧操作部材４０の枢支端部４３を枢着した状態で、補助具基台３０の凹状の保持部３２が形成された上面と押圧操作部材４０の枢支端部４３との間に、パンチ１の挿脱開口部３１が形成されるように構成されている。この挿脱開口部３１は、押圧操作部材４０が補助具基台３０に枢支された状態、すなわち、補助具基台３０に取り付けられた押圧操作部材４０が押圧操作される前の状態では、押圧操作部材４０の位置を変えることなく、被穿孔シートを差し込む方向から挿脱開口部３１へパンチ１を挿入したり、挿脱開口部３１からパンチ１を取り出したりできる大きさに形成されている。
【００２４】
本発明の実施の形態に係るパンチ及びパンチ補助具は、以上説明したように構成されるが、パンチとパンチ補助具とを組み合わせた補助具付きパンチの形態で使用することもできる。
そして、補助具付きパンチとして使用する場合は、例えば、図６及び図７に示す第１の形態の押圧部４１を備えたパンチ補助具３に、挿脱開口部３１（補助具基台３０と押圧操作部材４０の枢支端部４３との間に形成した開口部）からパンチ１をパンチ補助具３内に挿入して、パンチ補助具３の保持部３２にパンチ１を所定位置に位置決めして保持した状態で使用することができる。
また、図１０に示すように、第３の形態の押圧部４１（ローラ４７）を備えたパンチ補助具３にパンチ１を組み合わせて使用する場合には、パンチ補助具３の挿脱開口部３１からパンチ１をパンチ補助具３内に挿入して、パンチ補助具３の保持部３２にパンチ１を所定位置に位置決めして保持した状態で使用することができる。
【００２５】
次に、本発明の実施の形態に係るパンチ１、パンチ補助具３及びパンチ１とパンチ補助具３を組み合わせた補助具付きパンチの使用方法について説明する。
まず、パンチ１のみを使用して、被穿孔シートに適宜形状の模様などを切り抜く形態について説明する。
図５に示すように、使用前のパンチ１は、穿孔刃１３がパンチ基台１０のスリット１１から抜け出た状態にある。この状態で、ハウジング２０の隙間２３からパンチ基台１０のスリット１１に、被穿孔シートを挿入して位置決めする。
次に、操作部１５の操作面１６を指で押圧して、スプリング１８を圧縮させて、穿孔刃１３を押し下げる。その結果、穿孔刃１３の先端の刃先部分が、スリット１１と案内孔１２との交差部分に形成された刃部分に当接して、スリット１１に挿入された被穿孔シートが適宜形状の模様などに切り抜かれる。
その後、押圧する力を解放すると、スプリング１８が伸長して、スプリング１６の弾性力が穿孔刃１３のフランジ部１４の下面に作用して、穿孔刃１３が図５に示す使用前の状態に戻される。
このように、パンチ１のみを使用する模様などの切り抜き作業では、操作部１５の操作面１６を指で押圧して穿孔刃１３を押し下げた際に、操作部カバー１６がハウジング２０の案内壁２７の壁面に沿って案内され、操作部カバー１６の上面、すなわち、操作面１６と案内壁２７との間に間隙が形成されないので、安全に切り抜き作業を行うことができる。
【００２６】
次に、パンチ１とパンチ補助具３を組み合わせた補助具付きパンチとして、被穿孔シートに適宜形状の模様などを切り抜く形態について説明する。
この形態では、適宜形状の模様などを切り抜くことができるパンチ１と、このパンチ１を押圧操作するパンチ補助具３を準備する。
そして、図６及び図７の状態にあるパンチ補助具３の挿脱開口部３１から、図３〜図５の状態にあるパンチ１を、ハウジング２０の隙間２３を所定方向に向けて挿入する。
この挿入作業では、パンチ補助具３の保持部３２はパンチ１の下ハウジング２２の底面形状とほぼ同じ形状に形成されているため、パンチ１は所定位置に正確に位置固定され、パンチ１の操作面１６が押圧操作部材４０の押圧部４１の下方に正確に位置決めされる。また、図６及び図７に示す使用前の状態のパンチ補助具３では、押圧操作部材４０は挿脱開口部３１と干渉しないように配置されているため、押圧操作部材４０の位置を変えることなく、被穿孔シートを差し込む方向からパンチ１をパンチ補助具３へ簡単に装着することができる。
次に、ハウジング２０の隙間２３からパンチ基台１０のスリット１１に、被穿孔シートを挿入して位置決めする。
その後、図２に示すように、押圧操作部材４０を補助具基台３０に向けて下方に押し下げると、押圧操作部材４０が枢支軸５０を中心に回動するため、押圧部４１が操作面１６を押圧して、スプリング１８が圧縮されて、穿孔刃１３が押し下げられる。
その結果、穿孔刃１３の刃先部分が、スリット１１と案内孔１２との交差部分に形成された刃部分に当接して、パンチ基台１０のスリット１１に挿入された被穿孔シートは適宜形状の模様などに切り抜かれる。
その後、押圧操作部材４０を押し下げる力を解放すると、スプリング１８の弾性力が穿孔刃１３のフランジ部１４の下面に作用して、穿孔刃１３が図５に示す使用前の状態に戻される。
このパンチ１とパンチ補助具３を組み合わせた補助具付きパンチとして使用する形態では、異なる形状の模様などを切り抜く場合には、押圧操作部材４０が使用前の状態に戻されたパンチ補助具３の挿脱開口部３１から使用済みのパンチ１を取り出して、別のパンチ１を、パンチ補助具３の挿脱開口部３１から挿入して保持部３２に位置決め装着するだけで、上記切り抜き作業と同じ作業を行うことができる。
【図面の簡単な説明】
【００２７】
【図１】パンチをパンチ補助具に装着して切り抜き作業をしている状態を示す斜視図である。
【図２】図１のＡ−Ａ線に沿った断面を示す図であり、第１の形態に係る押圧部を備えたパンチ補助具にパンチを装着した状態を示す断面図である。
【図３】パンチの斜視図である。
【図４】パンチの正面図である。
【図５】図４のＢ−Ｂ線に沿った断面を示す図である。
【図６】第１の形態に係る押圧部を備えたパンチ補助具の斜視図である。
【図７】第１の形態に係る押圧部を備えたパンチ補助具の側面図である。
【図８】第１の形態に係る押圧部を備えたパンチ補助具の裏面図である。
【図９】第１の形態に係る押圧部を備えたパンチ補助具の側面図であり、特に、補強部材の配設状態を示す図である。
【図１０】図２と同様の図であるが、第３の形態に係る押圧部を備えたパンチ補助具にパンチを装着した状態を示す断面図である。
【図１１】図１０に示すパンチを取り除いたパンチ補助具を示す断面図である。
【図１２】図１１に示すパンチ補助具の裏面図である。
【図１３】図１０の正面図（Ａ）と、図１１の正面図（Ｂ）である。
【符号の説明】
【００２８】
１  パンチ
１０  パンチ基台
１１  スリット
１２  案内孔
１３  穿孔刃
１４  フランジ部
１５  操作部
１６  操作部カバー（操作面）
１７  突起
１８  スプリング
２０  ハウジング
２１  上ハウジング
２２  下ハウジング
２３  隙間
２４  ハウジング上面
２５  上ハウジング開口（開口部）
２６  下ハウジング開口
２７  案内壁
２８  突起案内溝
３  パンチ補助具
３０  補助具基台
３１  挿脱開口部
３２  保持部
３３  基台開口
３４  リブ
３５  滑り止め
３６  アーム
３７  枢支部
３８  補強部材
３８Ａ  アーム補強部
３８Ｂ  保持部補強部
３８Ｃ  基台補強部
３９  ビス
４０  押圧操作部材
４１  押圧部
４２  当接部
４３  枢支端部
４４  リブ
４５  凹部
４６  軸取付部（リブ）
４７  ローラ（押圧部）
４８  回転軸
５０  枢支軸（枢支点）
【図１】
2006255877.tif 000003
【図２】
2006255877.tif 000004
【図３】
2006255877.tif 000005
【図４】
2006255877.tif 000006
【図５】
2006255877.tif 000007
【図６】
2006255877.tif 000008
【図７】
2006255877.tif 000009
【図８】
2006255877.tif 000010
【図９】
2006255877.tif 000011
【図１０】
2006255877.tif 000012
【図１１】
2006255877.tif 000013
【図１２】
2006255877.tif 000014
【図１３】
2006255877.tif 000015